(57)【特許請求の範囲】
【請求項１】
配線器具を取着するための取着部を少なくとも一対備え、壁材に形成された壁孔を通過させて前記壁材の裏側に配置されるとともに、前記取着部を用いて前記配線器具が壁表に設置されることで、前記壁材を前記配線器具とで挟持して壁裏に設置される配線器具取付体であって、
周壁により囲み形成され、前面に開口して前記配線器具を収容する収容部が形成された取付体本体を備え、
前記取付体本体の対向する周壁には、該周壁より外方に突出し、かつ前記壁裏に当接する当接部が、前記取付体本体の内側に変位可能に形成され、
前記当接部は、前記取付体本体の後面側から該当接部に向かって前記周壁から突出しながら傾斜する案内部を一体に備えるとともに、該案内部は、前記取付体本体の内側に変位可能に形成され、
前記取付体本体を、該取付体本体の後面側から前記壁孔に挿入するときに、前記案内部が前記壁孔の内面に当たって前記当接部を前記取付体本体の内側に変位させ、前記当接部が前記周壁の内側に変位することで、前記取付体本体全体を前記壁孔及び壁裏に挿入可能であり、かつ、前記当接部が壁裏で原位置に復帰することにより、該当接部が壁裏に当接可能に形成されている配線器具取付体。
【請求項２】
配線器具を取着するための取着部を少なくとも一対備え、壁材に形成された壁孔を通過させて前記壁材の裏側に配置されるとともに、前記取着部を用いて前記配線器具が壁表に設置されることで、前記壁材を前記配線器具とで挟持して壁裏に設置される配線器具取付体であって、
周壁により囲み形成され、前面に開口して前記配線器具を収容する収容部が形成された取付体本体を備え、
前記取付体本体の対向する周壁には、該周壁より外方に突出するとともに前記壁裏に当接する当接部が形成され、前記当接部のうちいずれか一方の当接部は、前記取付体本体の内側に変位可能に形成される一方、他方の当接部は、変位不能に形成され、
前記取付体本体を、該取付体本体の後面側から前記壁孔に挿入するとともに前記一方の当接部が前記周壁の内側に変位することで、前記一方の当接部が前記周壁の内側に変位して前記取付体本体全体を前記壁孔及び壁裏に挿入可能であり、前記他方の当接部と、壁裏で原位置に復帰した前記一方の当接部と、が壁裏に当接可能に形成されている配線器具取付体。
【請求項３】
前記周壁の前面における一部又は全部には、前記当接部の前面から突出する突出部が形成され、
該突出部は、前記当接部が壁裏に当接した際に前記壁孔の内部に配置される請求項１又は請求項２に記載の配線器具取付体。
【請求項４】
前記突出部は、前記取着部近傍に形成されている請求項３に記載の配線器具取付体。
【請求項５】
前記当接部は、前記一対の取着部の対向方向と直交する方向で対向する周壁に形成されている請求項１〜請求項４のうちいずれか一項に記載の配線器具取付体。
【請求項６】
前記当接部は、前記一対の取着部の対向方向に沿って、前記取着部近傍まで延設されている請求項５に記載の配線器具取付体。
【請求項７】
前記当接部は、前記取付体本体の後面側から該当接部に向かって前記周壁から突出しながら傾斜する案内部を一体に備えるとともに、該案内部は、前記取付体本体の内側に変位可能に形成され、
前記取付体本体を後面側から前記壁孔に挿入するときに、前記案内部は、前記壁孔の内面に当たって前記当接部を前記取付体本体の内側に変位させる請求項２〜請求項４のうちいずれか一項に記載の配線器具取付体。
【請求項８】
前記案内部を突条により形成した請求項１又は７に記載の配線器具取付体。
【請求項９】
配線器具を取着するための取着部を少なくとも一対備え、壁材に形成された壁孔を通過させて壁裏に設置される配線器具取付体の設置方法であって、
前記配線器具取付体が、周壁により囲み形成され、前面に開口して前記配線器具を収容する収容部が形成された取付体本体を備え、
前記取付体本体の対向する周壁には、該周壁より外方に突出し、かつ前記壁裏に当接する当接部が、前記取付体本体の内側に変位可能に形成されており、
前記当接部は、前記取付体本体の後面側から該当接部に向かって前記周壁から突出しながら傾斜する案内部を一体に備えるとともに、該案内部は、前記取付体本体の内側に変位可能に形成され、
前記配線器具取付体を、前記取付体本体の後面側から前記壁孔に挿入するときに、前記案内部が前記壁孔の内面に当たって前記当接部を前記取付体本体の内側に変位させ、前記当接部が前記周壁の内側に変位することで、前記配線器具取付体全体を前記壁孔及び壁裏に挿入し、取着部材によって前記取着部に取着され、かつ壁表に配置された配線器具と、壁裏で原形状に復帰し、壁裏に当接した前記当接部と、で前記壁材を挟持し、前記配線器具取付体を壁裏に設置する設置方法。
【請求項１０】
配線器具を取着するための取着部を少なくとも一対備え、壁材に形成された壁孔を通過させて壁裏に設置される配線器具取付体の設置方法であって、
前記配線器具取付体が、周壁により囲み形成され、前面に開口して前記配線器具を収容する収容部が形成された取付体本体を備え、
前記取付体本体の対向する周壁には、該周壁より外方に突出するとともに前記壁裏に当接する当接部が形成され、前記当接部のうちいずれか一方の当接部は、前記取付体本体の内側に変位可能に形成される一方、他方の当接部は、変位不能に形成され、
前記配線器具取付体を、前記取付体本体の後面側から前記壁孔に挿入するとともに前記一方の当接部が前記周壁の内側に変位することで、前記配線器具取付体全体を前記壁孔及び壁裏に挿入し、取着部材によって前記取着部に取着され、かつ壁表に配置された配線器具と、前記他方の当接部と、壁裏で原形状に復帰し、壁裏に当接した前記一方の当接部と、で前記壁材を挟持し、前記配線器具取付体を壁裏に設置する設置方法。
【請求項１１】
前記当接部の外側端面を前記壁孔の内面に圧接させて前記配線器具取付体を前記壁孔内に仮固定し、前記配線器具を前記取着部材によって前記取着部に取着した後、前記配線器具取付体を前記壁孔に挿入する請求項９又は請求項１０に記載の設置方法。
【請求項１２】
壁表において、前記取着部に前記配線器具を前記取着部材によって取着した状態で、前記配線器具取付体を壁裏に設置する請求項９又は請求項１０に記載の設置方法。
【発明の詳細な説明】
【技術分野】
【０００１】
本発明は、壁材に形成された壁孔を介して壁材の裏側に配置される配線器具取付体及び配線器具取付体の設置方法に関する。
【背景技術】
【０００２】
建築物の壁に配線器具を設置するために、配線器具取付体が壁裏に配設される。この種の配線器具取付体としては、例えば、特許文献１に開示の配線ボックスが挙げられる。特許文献１では、壁材の裏側に、前面に開口を有する有底四角箱状の配線ボックスが設置されている。この配線ボックスは、その開口が壁孔を介して壁表側に臨み、壁孔を介して配線ボックス内に配線器具が収容されるようになっている。そして、配線ボックスの前面であって、上側壁及び下側壁の側縁部には、開口と同一平面上に位置するよう、壁裏に当接する当接部が延設されている。なお、特許文献１では、当接部間の距離が、壁孔の上下方向への開口幅よりも長く形成されているため、配線ボックスを傾けた状態で壁孔に挿入しなければ、壁裏に配線ボックスを設置することができない。このため、配線ボックスの壁裏への設置作業に手間がかかるとともに、傾けた状態の配線ボックスを入れ込むことができるだけの空間を、壁裏に設けなければならないという問題があった。
【０００３】
そこで、配線ボックスの壁表からの挿入作業の煩わしさを払拭するために、特許文献２のような配線器具取付体とすることが考えられる。図１０に示すように、特許文献２の配線器具取付体は、前面に開口Ｋを有する有底四角箱状の配線ボックスＢであって、一対の側壁Ｂ１の開口Ｋ側には、フランジ部Ｆが延設されるとともに、各フランジ部Ｆの後面は、壁表に当接する。さらに、配線ボックスＢの側壁Ｂ１には、配線ボックスＢの内側に弾性変形可能に形成されるとともに、壁裏に当接する当接部１が形成されている。具体的には、様々な厚みの壁材を当接部１とフランジ部Ｆとで挟持可能となるよう、フランジ部Ｆの後面から当接部１の当接面１ａまでの距離を異ならせた当接部１が複数形成されている。そして、特許文献２では、配線ボックスＢを傾けなくても、配線ボックスＢの後面から壁孔に挿通するだけで、フランジ部Ｆが壁表に残ることで壁表に当接するとともに、当接部１が弾性復帰することで壁裏に当接し、当接部１とフランジ部Ｆとで壁材が挟持されることになる。その結果、配線ボックスＢが壁裏に設置されることになる。
【先行技術文献】
【特許文献】
【０００４】
【特許文献１】特開２００３−１８７２４号公報
【特許文献２】実開昭６４−６７２１号公報
【発明の概要】
【発明が解決しようとする課題】
【０００５】
ところが、特許文献２では、様々な厚みの壁材を挟持可能となるよう、開口Ｋから当接面１ａまでの距離を異ならせて、当接部１を複数設けなければならない。そして、当接部１を複数設けたとしても、当接部１が配線ボックスＢの壁孔への挿入の妨げになってはいけない。そこで、配線ボックスＢの壁孔への挿入の際、当接部１が、壁内の壁面によって押されたときに容易に撓ませることを目的とし、特許文献２では、当接部１を小さく形成している。ただし、当接部１を小さく形成するということは、当接部１の壁材への係止力も低下してしまう。また、壁材に形成される壁孔が大きすぎると当接面１ａが壁材に係止しないため、当接面１ａが壁材に係止可能となるよう、正確な大きさで壁孔を穿設しなければならない。
【０００６】
本発明は、上記従来の問題に鑑みてなされたものであって、その目的は、壁材の裏側に簡単に配置することができる配線器具取付体及び配線器具取付体の設置方法を提供することにある。
【課題を解決するための手段】
【０００７】
上記問題点を解決するために、請求項１に記載の発明は、配線器具を取着するための取着部を少なくとも一対備え、壁材に形成された壁孔を通過させて前記壁材の裏側に配置されるとともに、前記取着部を用いて前記配線器具が壁表に設置されることで、前記壁材を前記配線器具とで挟持して壁裏に設置される配線器具取付体であって、周壁により囲み形成され、前面に開口して前記配線器具を収容する収容部が形成された取付体本体を備え、前記取付体本体の対向する周壁には、該周壁より外方に突出し、かつ前記壁裏に当接する当接部が、前記取付体本体の内側に変位可能に形成され、前記当接部は、前記取付体本体の後面側から該当接部に向かって前記周壁から突出しながら傾斜する案内部を一体に備えるとともに、該案内部は、前記取付体本体の内側に変位可能に形成され、前記取付体本体を、該取付体本体の後面側から前記壁孔に挿入するときに、前記案内部が前記壁孔の内面に当たって前記当接部を前記取付体本体の内側に変位させ、前記当接部が前記周壁の内側に変位することで、前記取付体本体全体を前記壁孔及び壁裏に挿入可能であり、かつ、前記当接部が壁裏で原位置に復帰することにより、該当接部が壁裏に当接可能に形成されていることを要旨とする。
【０００８】
請求項２に記載の発明は、配線器具を取着するための取着部を少なくとも一対備え、壁材に形成された壁孔を通過させて前記壁材の裏側に配置されるとともに、前記取着部を用いて前記配線器具が壁表に設置されることで、前記壁材を前記配線器具とで挟持して壁裏に設置される配線器具取付体であって、周壁により囲み形成され、前面に開口して前記配線器具を収容する収容部が形成された取付体本体を備え、前記取付体本体の対向する周壁には、該周壁より外方に突出するとともに前記壁裏に当接する当接部が形成され、前記当接部のうちいずれか一方の当接部は、前記取付体本体の内側に変位可能に形成される一方、他方の当接部は、変位不能に形成され、前記取付体本体を、該取付体本体の後面側から前記壁孔に挿入するとともに前記一方の当接部が前記周壁の内側に変位することで、前記一方の当接部が前記周壁の内側に変位して前記取付体本体全体を前記壁孔及び壁裏に挿入可能であり、前記他方の当接部と、壁裏で原位置に復帰した前記一方の当接部と、が壁裏に当接可能に形成されていることを要旨とする。
【０００９】
請求項３に記載の発明は、請求項１又は請求項２に記載の配線器具取付体において、前記周壁の前面における一部又は全部には、前記当接部の前面から突出する突出部が形成され、該突出部は、前記当接部が壁裏に当接した際に前記壁孔の内部に配置されることを要旨とする。
【００１０】
請求項４に記載の発明は、請求項３に記載の配線器具取付体において、前記突出部は、前記取着部近傍に形成されていることを要旨とする。
請求項５に記載の発明は、請求項１〜請求項４のうちいずれか一項に記載の配線器具取付体において、前記当接部は、前記一対の取着部の対向方向と直交する方向で対向する周壁に形成されていることを要旨とする。
【００１１】
請求項６に記載の発明は、請求項５に記載の配線器具取付体において、前記当接部は、前記一対の取着部の対向方向に沿って、前記取着部近傍まで延設されていることを要旨とする。
【００１２】
請求項７に記載の発明は、請求項２〜請求項４のうちいずれか一項に記載の配線器具取付体において、前記当接部は、前記取付体本体の後面側から該当接部に向かって前記周壁から突出しながら傾斜する案内部を一体に備えるとともに、該案内部は、前記取付体本体の内側に変位可能に形成され、前記取付体本体を後面側から前記壁孔に挿入するときに、前記案内部は、前記壁孔の内面に当たって前記当接部を前記取付体本体の内側に変位させることを要旨とする。
【００１３】
請求項８に記載の発明は、請求項１又は７に記載の配線器具取付体において、前記案内部を突条により形成したことを要旨とする。
請求項９に記載の発明は、配線器具を取着するための取着部を少なくとも一対備え、壁材に形成された壁孔を通過させて壁裏に設置される配線器具取付体の設置方法であって、
前記配線器具取付体が、周壁により囲み形成され、前面に開口して前記配線器具を収容する収容部が形成された取付体本体を備え、前記取付体本体の対向する周壁には、該周壁より外方に突出し、かつ前記壁裏に当接する当接部が、前記取付体本体の内側に変位可能に形成されており、前記当接部は、前記取付体本体の後面側から該当接部に向かって前記周壁から突出しながら傾斜する案内部を一体に備えるとともに、該案内部は、前記取付体本体の内側に変位可能に形成され、前記配線器具取付体を、前記取付体本体の後面側から前記壁孔に挿入するときに、前記案内部が前記壁孔の内面に当たって前記当接部を前記取付体本体の内側に変位させ、前記当接部が前記周壁の内側に変位することで、前記配線器具取付体全体を前記壁孔及び壁裏に挿入し、取着部材によって前記取着部に取着され、かつ壁表に配置された配線器具と、壁裏で原形状に復帰し、壁裏に当接した前記当接部と、で前記壁材を挟持し、前記配線器具取付体を壁裏に設置することを要旨とする。
【００１４】
請求項１０に記載の発明は、配線器具を取着するための取着部を少なくとも一対備え、壁材に形成された壁孔を通過させて壁裏に設置される配線器具取付体の設置方法であって、前記配線器具取付体が、周壁により囲み形成され、前面に開口して前記配線器具を収容する収容部が形成された取付体本体を備え、前記取付体本体の対向する周壁には、該周壁より外方に突出するとともに前記壁裏に当接する当接部が形成され、前記当接部のうちいずれか一方の当接部は、前記取付体本体の内側に変位可能に形成される一方、他方の当接部は、変位不能に形成され、前記配線器具取付体を、前記取付体本体の後面側から前記壁孔に挿入するとともに前記一方の当接部が前記周壁の内側に変位することで、前記配線器具取付体全体を前記壁孔及び壁裏に挿入し、取着部材によって前記取着部に取着され、かつ壁表に配置された配線器具と、前記他方の当接部と、壁裏で原形状に復帰し、壁裏に当接した前記一方の当接部と、で前記壁材を挟持し、前記配線器具取付体を壁裏に設置することを要旨とする。
【００１５】
請求項１１に記載の発明は、請求項９又は請求項１０に記載の設置方法において、前記当接部の外側端面を前記壁孔の内面に圧接させて前記配線器具取付体を前記壁孔内に仮固定し、前記配線器具を前記取着部材によって前記取着部に取着した後、前記配線器具取付体を前記壁孔に挿入することを要旨とする。
【００１６】
請求項１２に記載の発明は、請求項９又は請求項１０に記載の設置方法において、壁表において、前記取着部に前記配線器具を前記取着部材によって取着した状態で、前記配線器具取付体を壁裏に設置することを要旨とする。
【発明の効果】
【００１７】
本発明によれば、配線器具取付体を壁材の裏側に簡単に配置することができる。
【図面の簡単な説明】
【００１８】
【図１】実施形態の器具取付体、及び器具保持枠を示す斜視図。
【図２】器具取付体を示す平面図。
【図３】器具取付体を示す正面図。
【図４】器具取付体を示す側面図。
【図５】器具保持枠を取着した器具取付体を壁孔に配置した状態を示す正面図。
【図６】器具取付体を壁裏に挿入する様子を示す斜視図。
【図７】器具取付体を壁材の裏側に配置した状態を示す正面図。
【図８】図７の８−８線断面図。
【図９】別例の器具取付体を示す斜視図。
【図１０】背景技術の器具取付体を示す斜視図。
【発明を実施するための形態】
【００１９】
以下、本発明を具体化した一実施形態を図１〜図８に従って説明する。
図１に示すように、配線器具取付体としての器具取付体１１は、壁Ｗに配線器具Ｈを設置するために、壁Ｗに穿設された壁孔Ｗａを通過させて壁Ｗの裏側に配置されて使用されるものである。なお、壁孔Ｗａは、縦長円形状をなしている。また、壁Ｗは、石膏ボードにより成形されてなる。
【００２０】
器具取付体１１について、図１〜図４に従って説明する。
図１及び図３に示すように、器具取付体１１の取付体本体１２は、縦長円形状の底壁１３と、底壁１３の周縁から立設された四つの側壁１４ａ〜１４ｄとから前面（一面）に開口Ｋを有する有底縦長円筒状に形成されている。そして、底壁１３及び側壁１４ａ〜１４ｄにより取付体本体１２の周壁が形成されるとともに、底壁１３及び側壁１４ａ〜１４ｄによって収容部１５が囲み形成されている。以下の説明において、図１の上下に対向する側壁を上側壁１４ａ及び下側壁１４ｂとし、図１の左右に対向する側壁を右側壁１４ｃ及び左側壁１４ｄとする。また、器具取付体１１は合成樹脂製である。
【００２１】
上側壁１４ａ及び下側壁１４ｂは、それぞれ湾曲形成される一方で、右側壁１４ｃ及び左側壁１４ｄは、それぞれ平板状に形成されている。図３に示すように、上側壁１４ａは、右側壁１４ｃ及び左側壁１４ｄとの間に隙間Ｓを空けて底壁１３の周縁から立設されている。また、下側壁１４ｂも、上側壁１４ａと同様、右側壁１４ｃ及び左側壁１４ｄとの間に隙間Ｓを空けて底壁１３の周縁から立設されている。また、図４に示すように、右側壁１４ｃ及び左側壁１４ｄは、その基端が、器具取付体１１の長辺方向に沿った二箇所で底壁１３に連結されている。このため、右側壁１４ｃ及び左側壁１４ｄは、その基端を中心として、取付体本体１２の外側及び内側に向けて弾性変形可能に形成されている。また、右側壁１４ｃ及び左側壁１４ｄの基端側には、孔Ｑが形成されている。
【００２２】
図１及び図３に示すように、器具取付体１１の長辺方向に沿った長さＬ１は、壁孔Ｗａの長辺方向に沿った長さＮ１よりもやや短くなっている。ここで、「やや短い」とは、壁孔Ｗａに器具取付体１１を挿入可能な長さであることを指す。また、器具取付体１１の短辺方向に沿った長さＬ２は、壁孔Ｗａの短辺方向に沿った長さＮ２よりもやや短くなっている。
【００２３】
上側壁１４ａ及び下側壁１４ｂには、ケーブル挿通孔１６が、底壁１３に跨って形成されている。また、上側壁１４ａ及び下側壁１４ｂの前面において器具取付体１１の短辺方向の中央には、薄板状をなす突出部としての係止突片１７が、器具取付体１１の前方に向かってそれぞれ突設されている。図１及び図２に示すように、係止突片１７の突出長さＴ１は、壁Ｗの厚みＮ３と同一となっている。
【００２４】
そして、上側壁１４ａ及び下側壁１４ｂの内面であって、上側壁１４ａ及び下側壁１４ｂの前面側には、ボス部１８が設けられている。すなわち、係止突片１７は、ボス部１８の対向方向に沿って、該ボス部１８の近傍に形成されていることになる。このボス部１８には、ナット（図示せず）が、取付体本体１２の厚み方向へ移動不能に嵌入されるとともに、このナットによりボス部１８の内周面に雌ねじが形成されている。よって、本実施形態では、ボス部１８及びナットにより取着部が形成されている。各ボス部１８は、取着部材としてのビス４３を用いて、配線器具Ｈを器具取付体１１に取着するために用いられる。
【００２５】
また、ボス部１８の対向方向と直交する方向で対向する右側壁１４ｃ及び左側壁１４ｄには、壁Ｗ裏（壁Ｗの裏面）に当接する当接部としてのフランジ部２１がそれぞれ形成されている。
【００２６】
図３に示すように、右側壁１４ｃ及び左側壁１４ｄの前面には、薄板状をなす略Ｔ字状のフランジ部２１が、右側壁１４ｃ及び左側壁１４ｄの長さ方向全体にわたって器具取付体１１の外方に向かって延びるようにそれぞれ形成されている。より詳しくは、フランジ部２１の基端は、右側壁１４ｃ及び左側壁１４ｄの長さ方向全長に亘って器具取付体１１の外方に延びるように形成されている。一方、フランジ部２１において、右側壁１４ｃ及び左側壁１４ｄの長さ方向に沿った両端は、それぞれ右側壁１４ｃ及び左側壁１４ｄを超えて上側壁１４ａ及び下側壁１４ｂに向かってさらに延びるように形成されている。なお、図１に示すように、上側壁１４ａ及び下側壁１４ｂにおいて、右側壁１４ｃ及び左側壁１４ｄ側の両端部は、フランジ部２１の自由端が接触することがないよう、それぞれ切欠形成されている。また、フランジ部２１の前面は、壁Ｗ裏に当接する当接面２１ａとして機能する。そして、当接面２１ａと、ボス部１８の前面と、取付体本体１２の開口Ｋの開口端部は、同一平面上に位置する。よって、係止突片１７は、フランジ部２１の前面（当接面２１ａ）から突出していることになる。
【００２７】
図３に示すように、器具取付体１１の短辺方向に沿ったフランジ部２１の外側端部間の長さＬ３は、壁孔Ｗａの短辺方向に沿った長さＮ２よりも長くなっている。ここで、右側壁１４ｃ及び左側壁１４ｄは、その基端を中心として弾性変形可能になっている。この右側壁１４ｃ及び左側壁１４ｄにフランジ部２１が一体形成されるため、フランジ部２１も取付体本体１２の外側及び内側に向けて変位可能になっている。よって、フランジ部２１を取付体本体１２の内側に変位させる前、フランジ部２１を壁孔Ｗａ内に挿通することは不可能である。また、器具取付体１１の長辺方向に沿ったフランジ部２１の長さＬ４は、器具取付体１１の長辺方向に沿ったボス部１８の両端部間の長さＬ５と同一となっている。よって、フランジ部２１は、ボス部１８の対向方向に沿って、ボス部１８の近傍まで延設されていることになる。
【００２８】
図４に示すように、右側壁１４ｃ及び左側壁１４ｄの外面には、複数（この例では２個）の案内部２２が形成されている。この案内部２２は突条をなすとともに、取付体本体１２の後面側から前面側に向かって突出しながら傾斜するように形成されている。より詳しくは、図１に示すように、案内部２２は、その一端が右側壁１４ｃ及び左側壁１４ｄにおける孔Ｑの前端に位置するとともに、他端がフランジ部２１の後面に繋がっている。さらに、案内部２２は、フランジ部２１の外側端部から外方に突出し、かつ当接面２１ａと同一平面まで位置するよう延設されている。
【００２９】
また、右側壁１４ｃ及び左側壁１４ｄの外面であって、右側壁１４ｃ及び左側壁１４ｄの長さ方向両端には、補強リブ２３が形成されている。この補強リブ２３は、取付体本体１２の後面側から前面側に向かって突出しながら傾斜するように形成されている。より詳しくは、図１に示すように、補強リブ２３は、その一端が、右側壁１４ｃ及び左側壁１４ｄの後端に位置するとともに、他端がフランジ部２１の後面に繋がっている。
【００３０】
図２に示すように、取付体本体１２の内側に変位させる前の案内部２２において、その外面の一点を点Ｘとする。そして、取付体本体１２の短辺方向で点Ｘ同士を結んだ直線の長さをＬ６とすると、この長さＬ６は、壁孔Ｗａの短辺方向に沿った長さＮ２と同一となっている。一方、取付体本体１２の内側に変位させた後の案内部２２において、点Ｘ同士を結んだ直線の長さＬ７は、壁孔Ｗａの短辺方向に沿った長さＮ２よりも短くなっている。
【００３１】
次に、配線器具Ｈを保持する器具保持枠４０について説明する。
図１に示すように、器具保持枠４０は、縦長矩形枠状に形成されるとともに、器具保持枠４０には、縦長矩形状の器具保持孔４１が形成されている。なお、器具保持枠４０の長辺方向に沿った長さＭ１は、壁孔Ｗａの長辺方向に沿った長さＮ１より長い。一方、器具保持枠４０の短辺方向に沿った長さＭ２は、壁孔Ｗａの短辺方向に沿った長さＮ２より短い。器具保持枠４０の短辺方向に沿った略中央には、器具保持孔４１を間に挟むように一対の挿通孔４２が、器具保持枠４０を厚み方向に貫通してそれぞれ形成されている。各挿通孔４２は、器具保持枠４０の短辺方向に細長に延びる長孔状に形成されている。
【００３２】
次に、器具取付体１１の作用を、器具保持枠４０を用いて配線器具Ｈを壁Ｗに設置する方法とともに、図５〜図８に従って説明する。なお、壁Ｗ裏には、ケーブルＣが配線されている。
【００３３】
まず、壁Ｗの所望位置に壁孔Ｗａを、電動穿孔具を用いて穿設するとともに、壁Ｗ裏に配設されたケーブルＣを壁孔Ｗａから壁Ｗ表に引き出す。そして、作業者Ｐは、壁Ｗ表に引き出したケーブルＣを、器具取付体１１に形成されたケーブル挿通孔１６に挿通した後、配線器具Ｈに接続する。
【００３４】
次に、配線器具Ｈを器具保持枠４０の器具保持孔４１に保持させるとともに、器具保持枠４０の上側の挿通孔４２にビス４３を挿通する。そして、このビス４３を、器具取付体１１の上下両側のボス部１８に挿入するとともに、ナットに螺入し、器具取付体１１と器具保持枠４０を仮固定する。
【００３５】
そして、図５に示すように、器具保持枠４０を壁Ｗの表側に配置しつつ、器具取付体１１を、傾けることなく、取付体本体１２の後面側から壁孔Ｗａに向かって挿入する。具体的には、器具取付体１１において、底壁１３からの各側壁１４ａ〜１４ｄの立設方向が、壁孔Ｗａの中心軸の延びる方向と平行になるように、器具取付体１１を壁孔Ｗａに対して真っ直ぐに挿入する。このとき、器具取付体１１の短辺方向に沿ったフランジ部２１の外側端部間の長さＬ３は、壁孔Ｗａの短辺方向に沿った長さＮ２よりも長くなっている。さらに、取付体本体１２の内側に変位させる前の案内部２２間の長さＬ６は、壁孔Ｗａの短辺方向に沿った長さＮ２と同一となっている。したがって、壁孔Ｗａに対して器具取付体１１を挿入しただけでは、器具取付体１１の略前半分が壁孔Ｗａ内を通過せず、案内部２２が壁孔Ｗａの内面（内壁Ｗｂ）に当接した状態となる。なお、ケーブル挿通孔１６にケーブルＣを挿通させたことで、ケーブルＣに器具取付体１１が支持されている。
【００３６】
次に、図６に示すように、作業者Ｐは、器具取付体１１を、壁孔Ｗａの奥側に向けて押圧する。すると、器具取付体１１が壁孔Ｗａの奥側に押されるのに伴い、案内部２２が壁孔Ｗａの内壁Ｗｂに摺接することで、案内部２２と一体の右側壁１４ｃ及び左側壁１４ｄが取付体本体１２の内部に向けて弾性変形していく。この右側壁１４ｃ及び左側壁１４ｄの弾性変形に伴い、フランジ部２１も取付体本体１２の内側に変位していく。
【００３７】
その後、さらに作業者Ｐが器具取付体１１を壁孔Ｗａの奥側に向けて押圧すると、フランジ部２１を含め、器具取付体１１全体が壁孔Ｗａを通過する。すると、案内部２２に対する壁孔Ｗａの内壁Ｗｂの摺接が解除され、右側壁１４ｃ及び左側壁１４ｄが原形状（原位置）に復帰する。すると、この右側壁１４ｃ及び左側壁１４ｄに一体のフランジ部２１も変位する前の形状に復帰する。すなわち、フランジ部２１は、壁Ｗ裏で取付体本体１２の外方に突出する。また、器具保持枠４０の長辺方向に沿った長さＭ１は、壁孔Ｗａの長辺方向に沿った長さＮ１より長くなっている。これにより、図７に示すように、器具取付体１１のみが壁孔Ｗａを通過して壁Ｗの裏側に配置される一方で、器具保持枠４０のみが壁Ｗの前面に配置される。
【００３８】
また、器具取付体１１の短辺方向に沿ったフランジ部２１の外側端部間の長さＬ３は、壁孔Ｗａの短辺方向に沿った長さＮ２よりも長くなっている。よって、器具取付体１１に取着された器具保持枠４０を前面に引き寄せたとしても、フランジ部２１の当接面２１ａが壁Ｗ裏に当接するため、壁Ｗ裏の器具取付体１１が、壁孔Ｗａを介して、再度、壁Ｗ表に引き出されることがない。
【００３９】
図８に示すように、係止突片１７を壁孔Ｗａ内に挿入する。すると、係止突片１７が、壁孔Ｗａの内壁Ｗｂに当接し、器具取付体１１の開口Ｋが壁孔Ｗａに臨むように壁Ｗに位置決めされる。この位置決め状態では、ボス部１８も壁孔Ｗａから壁Ｗの表側に臨んでいる。
【００４０】
続いて、器具取付体１１に対し、上下両側のナットに螺入されたビス４３をさらに螺入する。そして、両ビス４３を増締めすると、ビス４３のナットへの螺進に伴い器具取付体１１が壁Ｗに引寄せられるとともに、フランジ部２１の当接面２１ａと、器具保持枠４０とで壁Ｗが挟持される。そして、ビス４３のナットへの螺入により、配線器具Ｈが壁Ｗの表側に設置されることで、器具保持枠４０とともに壁Ｗを挟んで器具取付体１１が壁Ｗの裏側に設置される。このとき、フランジ部２１をボス部１８の対向方向に沿って、ボス部１８近傍まで延設したことで、ビス締めによってフランジ部２１が壁Ｗに当接し易くなるので、図７に示すように、フランジ部２１の当接面２１ａが、壁Ｗの後面における壁孔Ｗａの周縁部に当接する。
【００４１】
上記実施形態によれば、以下のような効果を得ることができる。
（１）取付体本体１２において対向する右側壁１４ｃ及び左側壁１４ｄに、右側壁１４ｃ及び左側壁１４ｄより外方に突出し、かつ壁Ｗ裏に当接するフランジ部２１を、取付体本体１２の内側に変位可能に形成した。そして、取付体本体１２を後面側から壁孔Ｗａに挿入することで、フランジ部２１を内側に変位させ、器具取付体１１全体を壁孔Ｗａ及び壁Ｗ裏に挿入可能とした。このため、器具取付体１１全体を、傾けることなく壁孔Ｗａ及び壁Ｗ裏に簡単に挿入することができる。また、器具取付体１１を傾けずに済むことで、壁Ｗ裏には、傾けていない器具取付体１１を収容可能なだけの空間が形成されていれば良いことになるので、余計なスペースを設ける必要もなくなる。
【００４２】
（２）器具取付体１１の右側壁１４ｃ及び左側壁１４ｄを取付体本体１２の外側及び内側に向けて弾性変形可能としたことで、右側壁１４ｃ及び左側壁１４ｄと一体のフランジ部２１も、取付体本体１２の外側及び内側に変位させることが可能となる。そして、このフランジ部２１の取付体本体１２内側への変位によって、器具取付体１１全体を壁孔Ｗａ及び壁Ｗ裏に配置することが可能となる。よって、特許文献２に記載の配線ボックスＢのように、様々な壁厚に対応するために複数の当接部を設ける必要がないため、フランジ部２１を大きく形成することができる。また、フランジ部２１を大きく形成することで、壁孔Ｗａへの取付強度を高めることが可能となる。
【００４３】
（３）上側壁１４ａ及び下側壁１４ｂの前面に、フランジ部２１の当接面２１ａから突出する係止突片１７を形成した。そして、フランジ部２１が壁Ｗ裏に当接した際に、係止突片１７が壁孔Ｗａの内部に配置されるようにした。これによれば、係止突片１７が壁孔Ｗａの内壁Ｗｂに当接することになるので、器具取付体１１の移動が制限され、壁Ｗ裏で器具取付体１１の位置決めをすることができる。
【００４４】
（４）ビス４３の増締めによって器具取付体１１が壁Ｗ側に引き寄せられたとき、係止突片１７が器具保持枠４０の後面に当接し、係止突片１７がストッパの機能を果たす。よって、ビス４３の増締めの際、器具取付体１１が壁孔Ｗａ内にまで引き寄せられることを防止して、器具取付体１１の変形を防止することができる。
【００４５】
（５）ビス締めを行った場合、ビス締めが行われるボス部１８近傍が壁Ｗ側に最も引き寄せられることになる。そして、このボス部１８近傍に係止突片１７を設けたため、係止突片１７により、ビス締めの際にボス部１８が変形することを防止できる。そして、器具保持枠４０の後面に係止突片１７の端部が当接した際には、その当接を反映して、器具保持枠４０の位置を適宜変更することができるため、取付体本体１２及び器具保持枠４０が傾いた状態で取着されることを抑止することができる。
【００４６】
（６）また、係止突片１７が器具保持枠４０に当接するということは、これ以上ビス締めを行ってもビス４３が螺入し難い状況であることを認識することができるため、過剰なビス締めが行われることを抑止することができる。
【００４７】
（７）ボス部１８の対向方向と直交する方向で対向する右側壁１４ｃ及び左側壁１４ｄにフランジ部２１をそれぞれ形成した。これによれば、フランジ部２１の形成位置とボス部１８の形成位置が重複しないため、フランジ部２１を大きく形成することができる。そして、フランジ部２１を大きく形成することで、壁Ｗ裏に対するフランジ部２１の当接面積を大きくして、フランジ部２１と器具保持枠４０とで壁材を強く挟持することができる。また、フランジ部２１を大きく形成することで、壁孔Ｗａを取付体本体１２の大きさに合わせて正確に穿設しなくても、変位前のフランジ部２１が壁孔Ｗａの前面に当接することができるため、穿設の正確性が求められないことで、作業効率の向上が見込める。
【００４８】
（８）ボス部１８と同じ周壁にフランジ部２１を形成した場合、フランジ部２１の変位とともにボス部１８も変位してしまい、正しい位置でビス締めができなくなる虞がある。ところが、フランジ部２１をボス部１８の対向方向と直交する方向で対向する右側壁１４ｃ及び左側壁１４ｄに形成したことで、ビス締めの際にボス部１８が変位してしまうことがない。
【００４９】
（９）フランジ部２１を、取付体本体１２の長辺方向に沿って、ボス部１８近傍まで延設した。上下どちらかのボス部１８においてビス締めが行われたとしても、フランジ部２１がボス部１８近傍まで延設されていることで、上下どちらかのボス部１８のみ壁Ｗ側に引っ張られたとしても、係止突片１７とフランジ部２１によって器具取付体１１が支えられ、壁孔Ｗａに器具取付体１１が入り込んでしまうことを防止することができる。
【００５０】
（１０）器具取付体１１を、取付体本体１２の後面側から壁孔Ｗａに挿入したときに、壁孔Ｗａの内壁Ｗｂに摺接し、フランジ部２１を取付体本体１２の内側に変位させる案内部２２を設けた。このため、器具取付体１１を壁孔Ｗａに挿入するのと同時に案内部２２によってフランジ部２１を円滑に変位させることができ、器具取付体１１全体を壁孔Ｗａ及び壁Ｗ裏にスムーズに挿入することができる。
【００５１】
（１１）案内部２２を突条によって形成した。このため、案内部２２が壁孔Ｗａの内壁Ｗｂに摺接したとしても、摺接する箇所を少なくすることができる。
（１２）また、器具取付体１１を、取付体本体１２の後面側から壁孔Ｗａに真っ直ぐ挿入し、フランジ部２１を壁孔Ｗａの内壁Ｗｂに摺接させることによってフランジ部２１を取付体本体１２の内側に変位させることで、器具取付体１１全体を壁孔Ｗａ及び壁Ｗ裏に挿入させた。そして、器具取付体１１が壁孔Ｗａを通過した後、フランジ部２１は、内壁Ｗｂに摺接しないため、フランジ部２１が壁Ｗ裏で変位する前の状態（原位置）に復帰することになる。そのフランジ部２１を壁Ｗ裏に当接させ、フランジ部２１と器具保持枠４０とで壁材を挟持することで、器具取付体１１を壁Ｗ裏に設置するようにした。このような方法によれば、右側壁１４ｃ及び左側壁１４ｄの弾性変形する力を利用して、器具取付体１１全体を壁孔Ｗａ及び壁Ｗ裏に簡単に挿入することができるとともに、器具取付体１１を壁Ｗ裏に簡単に設置することができる。
【００５２】
（１３）また、ケーブル挿通孔１６にケーブルＣを挿通させたことで、ケーブルＣに器具取付体１１が支持されるため、器具取付体１１が壁Ｗ裏に脱落することがない。また、ケーブルＣに器具取付体１１が支持されるので、配線器具ＨにケーブルＣを接続する際、器具取付体１１を把持する必要もなくなる。
【００５３】
（１４）壁Ｗ表において、ボス部１８に器具保持枠４０をビス４３によって取着した状態で器具取付体１１を壁Ｗ裏に設置するようにした。この方法によれば、作業スペースが狭く、かつ作業者が目視できない壁Ｗ裏ではなく、壁表にて配線器具Ｈの器具取付体１１への組付作業やケーブル接続作業を行うことができるので、作業が行い易くなる。
【００５４】
（１５）右側壁１４ｃ及び左側壁１４ｄの基端側に、孔Ｑを形成した。これにより、右側壁１４ｃ及び左側壁１４ｄは、孔Ｑが形成されていない残りの側壁によって底壁１３に連結されることになるので、孔Ｑが形成されていない場合に比べて右側壁１４ｃ及び左側壁１４ｄを弾性変形させ易くすることができる。その結果として、右側壁１４ｃ及び左側壁１４ｄと一体のフランジ部２１を変位させ易くなる。
【００５５】
（１６）係止突片１７の突出長さＴ１を、壁Ｗの厚みＮ３と同一とした。これによれば、ビス４３の増締めによって配線器具Ｈが引き寄せられすぎたとしても、係止突片１７の端部と配線器具Ｈが当接することで、それ以上、ビス締めがし難くなるため、過剰なビス締めが行われることを抑止できる。
【００５６】
（１７）器具保持枠４０及び壁孔Ｗａに当接する係止突片１７が形成されていないと、ビスの増締めによって器具取付体１１が壁Ｗ側に引き寄せられ過ぎてしまうことがあり、増締めによって生じた力が加わり、壁Ｗが損傷する虞があった。そこで、係止突片１７を形成するとともに、係止突片１７の突出長さＴ１を、壁Ｗの厚みＮ３と同一とした。これによれば、ビス４３の増締めによって器具保持枠４０が引き寄せられすぎたとしても、係止突片１７の端部と器具保持枠４０が当接することで、過剰なビス締めを回避でき、結果、壁Ｗの損傷を回避することができる。
【００５７】
なお、上記実施形態は以下のように変更しても良い。
○  実施形態では、右側壁１４ｃ及び左側壁１４ｄに孔Ｑを形成しなくても良い。
○  案内部２２の数を変更しても良い。例えば、壁孔Ｗａ内への挿入を案内するのであれば、１個形成されていれば良い。また、案内部２２を形成しなくても良い。
【００５８】
○  実施形態では、案内部２２が形成されているか否かを問わず、作業者Ｐ自身が右側壁１４ｃ及び左側壁１４ｄを取付体本体１２の内側に弾性変形させることで、器具取付体１１全体を壁孔Ｗａ及び壁Ｗ裏に挿入させても良い。
【００５９】
○  実施形態では、フランジ部２１を右側壁１４ｃ又は左側壁１４ｄのどちらか一方に形成するだけでも良い。また、上側壁１４ａ及び下側壁１４ｂのうち少なくともいずれか一方に形成しても良い。このとき、当接面２１ａとボス部１８の前面は、同一平面上に位置するものとする。また、上側壁１４ａ及び下側壁１４ｂのうち少なくともいずれか一方にフランジ部２１を形成する場合、係止突片１７は、当接面２１ａから延設されるものとする。
【００６０】
○  実施形態では、一対のフランジ部２１のうち、いずれか一方のフランジ部２１を取付体本体１２の外側及び内側に変位可能とし、他方のフランジ部２１は弾性変形不能としても良い。ちなみに、このような構成とする器具取付体１１を用いる場合、まず、弾性変形しない方のフランジ部２１の当接面２１ａを壁Ｗ裏にひっかけ、ひっかけたフランジ部２１を回動中心として、器具取付体１１を回動させる。その後、器具取付体１１を、壁孔Ｗａの奥側に向けて押圧し、器具取付体１１を壁孔Ｗａに挿入するとともに、弾性変形する方のフランジ部２１を取付体本体１２の内側に弾性変形させ、器具取付体１１全体を壁孔Ｗａ及び壁Ｗ裏に挿入することになる。このような構成によれば、弾性変形可能であるフランジ部２１が一体化されている側壁を取付体本体１２の内側に向けて作業者Ｐが押圧するだけで、フランジ部２１を取付体本体１２の内側に変位させ、器具取付体１１全体を壁孔Ｗａ及び壁Ｗ裏に挿入することができる。つまり、両側壁が弾性変形可能に構成されている場合に比して、少ない力で器具取付体１１を変形させることができる。もちろん、案内部２２を利用し、壁孔Ｗａ及び壁Ｗ裏に挿入させることもできる。また、両側壁が弾性変形不能に形成されている場合に比して、取付体本体１２を傾ける量が少なくて済む。よって、両側壁が弾性変形不能に形成されている場合には収容できない程度の空間しか、壁Ｗ裏に形成されていなかったとしても、いずれか一方の側壁が弾性変形可能に形成された器具取付体であれば、このような空間しか形成されていなかったとしても、壁Ｗ裏に収容することも可能となる。
【００６１】
○  実施形態において、フランジ部２１は、ボス部１８の近傍まで延設されていなくても良い。
○  係止突片１７の数を変更しても良い。つまり、壁孔Ｗａの内部に位置し、器具保持枠４０の後面に当接すれば良いので、その個数は、２個に限られない。ただし、傾いた状態で器具取付体１１及び器具保持枠４０が取着されることを防ぐため、複数個が望ましい。
【００６２】
○  係止突片１７を削除しても良い。
○  係止突片１７をボス部１８の近傍に設けなくても良い。つまり、壁孔Ｗａの内部に位置し、器具保持枠４０の後面に当接すれば良いので、例えば、フランジ部２１の長辺方向に沿った内側端部に設けられていても良い。
【００６３】
○  実施形態の突出部は、上側壁１４ａ及び下側壁１４ｂの前面に形成した係止突片１７としたが、開口Ｋの全周を囲むように突設された突出部としても良い。
○  実施形態では、器具取付体１１を、取着部としてのボス部１８及びナットを上下一対備えるタイプに具体化したが、取付体本体１２の短辺方向に取着部を上下二対以上備えるタイプに変更しても良い。また、ボス部１８の形成位置は、上側壁１４ａ及び下側壁１４ｂに限られず、右側壁１４ｃ及び左側壁１４ｄに形成しても良い。
【００６４】
○  実施形態で使用する壁Ｗの厚さや材質を変更しても良い。なお、実施形態で使用した壁材が、使用可能な壁材の中で最も薄い最薄壁材であった場合、壁材の厚みに対応するように、係止突片１７の突出長さＴ１を変更する必要はない。つまり、最薄壁材において、係止突片１７によってビスの増締めが抑止されることで壁材の損傷を回避できるのであれば、最薄壁材よりも厚い壁Ｗが損傷する虞はないので、壁Ｗの厚みに併せて係止突片１７の突出量を変更する必要がなく、１つの係止突片１７によって様々な厚みの壁Ｗに対応することが可能となる。
【００６５】
○  実施形態において、器具取付体１１は如何なる形状であっても良い。例えば、図９に示すように、有底四角箱状の器具取付体５０としても良い。そして、器具取付体５０では、フランジ部２１が、右側壁１４ｃ及び左側壁１４ｄの長さ方向全体にわたって器具取付体１１の外方に向かって延びるように形成されている。そして、変更例における器具取付体１１の長辺方向に沿ったフランジ部２１の長さＬ８は、器具取付体１１の長辺方向に沿ったボス部１８の両端部間の長さＬ９と同一となっており、フランジ部２１が、ボス部１８の対向方向に沿って、ボス部１８の近傍まで延設されていることになる。
【００６６】
このような形状とする場合、壁Ｗに穿設される壁孔Ｗａも矩形状となる。また、変更例における壁孔Ｗａの長辺方向に沿った長さは、変更例における器具取付体１１の長辺方向に沿ったフランジ部２１の長さＬ８と同一となる。したがって、器具取付体５０の後面側から、矩形状に穿設された壁孔Ｗａに器具取付体５０を挿入し、かつビスを螺進させると、壁孔Ｗａを通過した器具取付体５０のフランジ部２１の当接面２１ａが、壁孔Ｗａの周縁、特に壁孔Ｗａの長辺方向に沿った長さ全体にわたって当接することになる。これにより、器具取付体５０が、壁孔Ｗａに入り込むような方向に力が加わり難くなる。
【００６７】
○  実施形態における配線器具取付体は、底壁が形成されない枠状としても良い。
○  実施形態では、壁Ｗ表において、ビス４３によって器具取付体１１と器具保持枠４０を組み付けた状態で、器具取付体１１を壁Ｗの裏側に配置したが、器具取付体１１と器具保持枠４０の組み付け順序は、如何なる順序であっても良い。例えば、案内部２２を壁孔Ｗａの内壁Ｗｂに圧設させて器具取付体１１を壁孔Ｗａ内に仮固定し、器具保持枠４０をビス４３によってボス部１８に取着した後、器具取付体１１をさらに壁孔Ｗａの奥側に挿入することで、器具取付体１１を壁Ｗ裏に設置する方法でも良い。このような方法によれば、壁孔Ｗａ内において器具取付体１１が仮固定されるため、器具取付体１１に器具保持枠４０を接続する際、器具取付体１１を把持する必要がなくなるため、作業効率の向上が見込める。
【００６８】
次に、上記実施形態及び別例から把握できる技術的思想を以下に追記する。
（イ）前記突出部の突出量は、前記壁材の厚みが最薄である最薄壁材の厚みと同一又は略同一の長さである請求項２に記載の配線器具取付体。
【符号の説明】
【００６９】
Ｃ…ケーブル、Ｈ…配線器具、Ｋ…開口、Ｗ…壁、Ｗａ…壁孔、１１…配線器具取付体としての器具取付体、１２…取付体本体、１３…周壁としての底壁、１４ａ〜１４ｄ…周壁としての側壁、１５…収容部、１７…突出部としての係止突片、１８…取着部としてのボス部、２１…フランジ部、２１ａ…当接面、２２…案内部、４０…器具保持枠、４３…取着部材としてのビス。
【図１】
0005863544.tif 000002
【図２】
0005863544.tif 000003
【図３】
0005863544.tif 000004
【図４】
0005863544.tif 000005
【図５】
0005863544.tif 000006
【図６】
0005863544.tif 000007
【図７】
0005863544.tif 000008
【図８】
0005863544.tif 000009
【図９】
0005863544.tif 000010
【図１０】
0005863544.tif 000011